(57)【特許請求の範囲】
【請求項１】
頂部板、プリント板、及び一端が前記頂部板に接続され、他端がプリント板に接続され、前記頂部板を前記プリント板に対して一定の姿勢で保持するモノポールからなるアンテナ素子において、
前記頂部板が、前記頂部板の厚さ方向に垂直で前記頂部板上の直交する２つの軸に関していずれも線対称となり、かつ前記２つの軸が前記頂部板を横断する長さが互いに異なる平板形状であることを特徴とするアンテナ素子。
【請求項２】
請求項１に記載のアンテナ素子において、
前記頂部板が、楕円形であることを特徴とするアンテナ素子。
【請求項３】
請求項１に記載のアンテナ素子において、
前記頂部板が、長方形、菱形、６角形、１２角形を含む多角形のうち、いずれかの形状であることを特徴とするアンテナ素子。
【請求項４】
請求項３に記載のアンテナ素子において、
前記頂部板が、前記多角形の角の全てあるいは一部が、円弧で置き換えられた形状であることを特徴とするアンテナ素子。
【請求項５】
頂部板、プリント板、及び一端が前記頂部板に接続され、他端がプリント板に接続され、前記頂部板を前記プリント板に対して一定の姿勢で保持するモノポールからなるアンテナ素子において、
前記頂部板と前記モノポールとが１つの平板として一体的に製造され、前記平板は、前記平板の厚さ方向に垂直で前記平板上の直交する２つの軸に関していずれも線対称となり、かつ前記２つの軸が前記頂部板を横断する長さが互いに異なる形状であり、前記モノポールを当該１つの平板から折り曲げることによって前記頂部板と前記モノポールが形成され、前記モノポールの折り曲げによって前記平板上に切欠部が構成されることを特徴とするアンテナ素子。
【請求項６】
請求項５に記載のアンテナ素子において、
前記切欠部とは別の切欠部を配置し、前記頂部板の形状が、前記頂部板の厚さ方向に垂直で前記頂部板上の前記切欠部の長手方向の軸と直交する別の軸に関してほぼ線対称となるように構成することを特徴とするアンテナ素子。
【請求項７】
請求項５または６のいずれかに記載のアンテナ素子において、
前記切欠部が、前記頂部板の長軸方向、または短軸方向に沿って構成されることを特徴とするアンテナ素子。
【請求項８】
請求項５に記載のアンテナ素子において、
前記平板が、楕円形であることを特徴とするアンテナ素子。
【請求項９】
請求項５に記載のアンテナ素子において、
前記平板が、長方形、菱形、６角形、１２角形を含む多角形のうち、いずれかの形状であることを特徴とするアンテナ素子。
【請求項１０】
請求項９に記載のアンテナ素子において、
前記平板が、前記多角形の角の全てあるいは一部が、円弧で置き換えられた形状であることを特徴とするアンテナ素子。
【請求項１１】
請求項１または５ないし７のいずれかに記載のアンテナ素子において、
前記頂部板が、前記２つの軸の一方でかつ前記モノポールの接続点を通過する軸が形成する線で折り曲げられていることを特徴とするアンテナ素子。
【請求項１２】
請求項１１に記載のアンテナ素子において、
前記頂部板が、前記軸が形成する線でＶ字状、または逆Ｖ字状に折り曲げられていることを特徴とするアンテナ素子。
【請求項１３】
請求項１、５ないし７、または１１のいずれかに記載のアンテナ素子において、
前記モノポールに、前記頂部板とグランド板との距離を変化させることが可能な屈曲部を備えたことを特徴とするアンテナ素子。
【発明の詳細な説明】
【０００１】
【発明の属する技術分野】
本発明は、頂部負荷型のモノポールアンテナ素子に関し、特に、広帯域で安価、かつ、入力インピーダンス及び共振周波数の微調整が容易に行えるモノポールアンテナ素子の構造に関する。
【０００２】
【従来の技術】
近年、パソコン等のコンピュータの普及により、コンピュータ間のネットワーク化が急速に進んでおり、コンピュータ間をネットワークケーブル等で配線することなく簡単にコンピュータ・ネットワークを構築することができる無線ＬＡＮ機器に注目が集まっている。
【０００３】
このような機器のなかには、コンピュータ間でやり取りされるデータを無線を介して送受信するアンテナ素子（以下、単にアンテナと記載する）が含まれる。例えば、２．４ＧＨｚ帯を使用してデータの送受信を行うアンテナの構造は後で詳細に説明するが、主として、金属などの導体からなる円板、誘電体を含むプリント板、及び一端が当該円板の中心に、他端が当該プリント板に接続される導体のモノポールから構成される。
【０００４】
【発明が解決しようとする課題】
一方、無線ＬＡＮシステムは、そのシステムの利便性から各国の通信機構において周波数割当が拡大される傾向にあり、無線ＬＡＮシステムに使用するアンテナを広帯域化する技術が必要となってきている。
【０００５】
また、このような無線ＬＡＮの普及により、各製造メーカーにとっては、ハードウエアの原価を低減させることが重要な課題となり、安価なアンテナを実現するためのアンテナ構造についてのアイデアも重要である。
【０００６】
更に、各製造メーカーの製造検査部門において、アナログＲＦ特性の調整は必ず行われる作業であるが、こうした調整をアンテナにおいてすることができれば、製品の直行率（歩留まり）を改善することができ、結果的に、アンテナに関するトータルコストを低減することができる。
【０００７】
しかし、上述した構成を有する従来のアンテナでは、上記モノポールの長さと、上記円板の半径とを足した一様な長さに亘って、電流が流れるため、多様な共振長には対応できない。
【０００８】
また、上記モノポールと円板との接続は、これらを一体のものから切削するか、鋳型によって成形を行うか、あるいは、これらを別々に作ってハンダ等で接合することによって行われ、いずれの方法をとっても製造コストは比較的高いのが現状である。更に、製造後にアンテナ部分の微調整が容易にできないため、直交率（歩留まり）を効率的に改善することができず、結果的に安価なアンテナの供給を不可能にしている。
【０００９】
【課題を解決するための手段】
本発明は、本来、アンテナの先端上部に円環等の負荷を装荷したアンテナを発展させたものである。この種のアンテナは、例えばコロナ社「アンテナ・電波伝搬」Ｐ６９及びＰ７０に説明されている。当初は、電波の仰角面内における放射角度を低くおさえることが目的であったが、アンテナ自身の低姿勢化の効果もある。時代的背景として、本アンテナは周波数の低い中波などで使用されていたため、仰角面内の放射角度の改善や低姿勢化が主目的であり、水平面内の指向性の一様性（回転対称性）や、交差偏波特性、広帯域化、調整の容易さには目がむけられていなかったものである。
【００１０】
従って、本発明の目的は、従来のアンテナと比べて広帯域なアンテナを提供することである。
【００１１】
また、本発明の他の目的は、構造が単純で、製造コストのかからない安価なアンテナを提供することである。
【００１２】
また、本発明の更に他の目的は、アンテナの入力インピーダンス及び共振周波数の微調整を容易に行うことができるアンテナを提供することである。
【００１３】
本発明の第１の実施態様によれば、頂部板、プリント板、及び一端が前記頂部板に接続され、他端がプリント板に接続され、前記頂部板を前記プリント板に対して一定の姿勢で保持するモノポールからなるアンテナ素子であって、前記頂部板が、前記頂部板の厚さ方向に垂直で前記頂部板上の直交する２つの軸に関していずれも線対称となり、かつ前記２つの軸の前記頂部板を横断する長さが互いに異なる形状であるアンテナ素子が提供される。
【００１４】
本発明の第２の実施態様によれば、第１の実施態様のアンテナ素子において、前記頂部板が楕円形となっているアンテナ素子が提供される。
【００１５】
本発明の第３の実施態様によれば、第１の実施態様のアンテナ素子において、前記頂部板が、長方形、菱形、６角形、１２角形を含む多角形のうち、いずれかの形状であるアンテナ素子が提供される。
【００１６】
本発明の第４の実施態様によれば、第１の実施態様のアンテナ素子において、前記頂部板が、前記多角形の角の全てあるいは一部が、円弧で置き換えられた形状で構成されるアンテナ素子が提供される。
【００１７】
本発明の第５の実施態様によれば、頂部板、プリント板、及び一端が前記頂部板に接続され、他端がプリント板に接続され、前記頂部板を前記プリント板に対して一定の姿勢で保持するモノポールからなるアンテナ素子であって、前記頂部板と前記モノポールとが１つの平板として一体的に製造され、前記平板は、前記平板の厚さ方向に垂直で前記平板上の直交する２つの軸に関していずれも線対称となり、かつ前記２つの軸が前記頂部板を横断する長さが互いに異なる形状であり、前記モノポールを当該１つの平板から折り曲げることによって前記頂部板と前記モノポールが形成され、前記モノポールの折り曲げによって前記平板上に切欠部が構成されるアンテナ素子が提供される。
【００１８】
本発明の第６の実施態様によれば、第５の実施態様のアンテナ素子において、前記切欠部とは別の切欠部を配置し、前記頂部板の形状が、前記頂部板の厚さ方向に垂直で前記頂部板上の前記切欠部の長手方向の軸と直交する別の軸に関してほぼ線対称となるように構成するアンテナ素子が提供される。
【００１９】
本発明の第７の実施態様によれば、第５又は６の実施態様のアンテナ素子において、前記切欠部が、前記頂部板の長軸方向、または短軸方向に沿って構成されるアンテナ素子が提供される。
【００２０】
本発明の第８の実施態様によれば、第５の実施態様のアンテナ素子において、前記頂部板が楕円形となっているアンテナ素子が提供される。
【００２１】
本発明の第９の実施態様によれば、第５の実施態様のアンテナ素子において、前記頂部板が、長方形、菱形、６角形、１２角形を含む多角形のうち、いずれかの形状であるアンテナ素子が提供される。
【００２２】
本発明の第１０の実施態様によれば、第９の実施態様のアンテナ素子において、前記頂部板が、前記多角形の角の全てあるいは一部が、円弧で置き換えられた形状で構成されるアンテナ素子が提供される。
【００２３】
本発明の第１１の実施態様によれば、第１または５ないし７の実施態様のアンテナ素子において、前記頂部板が、前記２つの軸の一方でかつ前記モノポールの接続点を通過する軸が形成する線で折り曲げられているアンテナ素子が提供される。
【００２４】
本発明の第１２の実施態様によれば、第１１の実施態様のアンテナ素子において、前記頂部板が、Ｖ字状、または逆Ｖ字状に折り曲げられるよう構成されたアンテナ素子が提供される。
【００２５】
本発明の第１３の実施態様によれば、第１、５ないし７、または１１の実施態様のアンテナ素子において、前記モノポールに、折り曲げ可能な屈曲部を備えたアンテナ素子が提供される。
【００２６】
【発明の実施の形態】
まず最初に、従来のアンテナの構造について説明する。図１３には、例えば、２．４ＧＨｚ帯で使用する場合の従来のアンテナの構造図が示されている。
【００２７】
図１３に示すアンテナは、金属などの導体よりなる円板９０１、同じく金属などの導体よりなる棒状のモノポール９０２、及びプリント板９０３より構成される。モノポール９０２の上端部は、円板９０１の中心に接続されている。
【００２８】
プリント板９０３は、上層が導体よりなるグランド板９０４、及び下層が誘電体９０５からなる。誘電体９０５の下部には更に、導体よりなるマイクロストリップライン９０６が配置される。モノポール９０２の下端部は、グランド板９０４の導体部分を取り除いたパターン逃げ９０７を介して、給電部９０８でマイクロストリップライン９０６と接続される。
【００２９】
このとき、モノポール９０２の下端部は、グランド板９０４と接触することなく、マイクロストリップライン９０６に接続される。モノポール９０２の下端部とマイクロストリップライン９０６とは、給電部９０８において、ハンダ付け等によって接続される。
【００３０】
次に、従来のアンテナの電気的な動作原理について説明する。図１４（ａ）には、上述した構造のアンテナにおける電流分布が示されており、モノポール９０２に沿って電流ｉ０が流れ、円板９０１上には電流ｉ１ないしｉ４が流れる。図１４（ｂ）からわかるように、円板９０１があることにより、本来の電流ｉ０の先端部分の電流が円板９０１部分に分布するため、アンテナ自身の低姿勢化が実現できる。円板９０１上の電流は、ｉ１ないしｉ４の４つの電流として図１４（ａ）に模式的に示してあるが、円板９０１の中心から各方向に放射状に流れるものである。これらの電流より電界の放射を考えると、電流ｉ０に関しては、ｉ０に平行な垂直偏波の電波が、水平面に一様に放射されることが容易に理解できる。一方ｉ１ないしｉ４から放射される電波については、ｉ１ないしｉ４がベクトル的にすべて相殺されてしまうので、水平成分の電界は放射しないことになる。
【００３１】
また、周波数帯域について考察すると、ｉ１ないしｉ４の電流が流れる円板９０１の半径は一定なので、概ねの共振長としては、ｌ０とｌ１に電流が載った場合の波長となる。従って、周波数帯域としては、円板で代替えしないときのモノポールアンテナの帯域と同等、あるいはそれ以下と考えられる。
【００３２】
図１５は、従来のアンテナのリターンロスの実測結果を示す図である。アンテナの構成は図１３に示す構造であり、円板直径は約６ｍｍ、円板とプリント板上部の距離、すなわちモノポールのプリント板内に入り込んでいる部分を除いた長さが約５．５ｍｍで、マイクロストリップライン上に適当にスタブをつけて調整したときのリターンロス特性である。２８０ＭＨｚの帯域がとれており、約５．１％に相当する。
【００３３】
次に本発明のアンテナの構造について説明する。本発明の第１の実施形態のアンテナを上方向から見た斜視図を図１に、下方向から見た斜視図を図２に、横断面図を図３に示す。
【００３４】
図１及び図２において、本発明の第１の実施形態のＬＡＮアンテナは、金属などの導体よりなる楕円板１、同じく金属などの導体よりなる棒状のモノポール２、及びプリント板３より構成される。
【００３５】
モノポール２の上端部は、楕円板１の中心及びその周辺に接続されている。一方、プリント板３は、上層に導体よりなるグランド板４、及び下層に誘電体５が配置されてなる。誘電体５の下部には更に、導体よりなるマイクロストリップライン６が配置される。
【００３６】
モノポール２の下端部は、グランド板４の導体部分を取り除いたパターン逃げ７を介して、給電部８でマイクロストリップライン６と接続される。このとき、図３からもわかるように、モノポール２の下端部は、グランド板４と接触することなく、マイクロストリップライン６に接続されている。なお、給電部８での接続方法としては、通常ハンダ付け等の方法が用いられる。
【００３７】
図１ないし図３において、楕円板１は、プリント板に対してほぼ水平に保持されているが、この状態に限定される訳ではない。プリント板に対して任意の角度で保持されるように調整することができる。
【００３８】
図４は、楕円板１の一実施例であり、長軸直径がａ、短軸直径がｂで表されている。この場合、楕円板１は、円以外の楕円であり、ａ＞ｂとなる。
【００３９】
図５は、本発明の第２の実施形態の楕円板とモノポールの構造を示した図である。楕円板２０１とモノポール２０２は、もともと１枚の金属導体板よりなり、切欠部２０３より折り曲げることによって製作されるようになっている。図５（ａ）に示す楕円板２０１は長軸方向に切欠部２０３が入っており、図５（ｂ）に示す楕円板２１１は短軸方向に切欠部２１３が入っている。
【００４０】
図１に示されたような楕円板１及びモノポール２の構成では、それぞれの接続にハンダを用いたり、切削や鋳型による成形を行うなどして一体化して製作する必要があり、こうした構造のアンテナは高価となる。しかし、図５に示すような第２の実施例の構造を有するアンテナでは、板金を１回折り曲げるだけで製作が可能であり、大幅な製造コスト削減が期待できる。
【００４１】
図６は、本発明の第３の実施形態の楕円板とモノポールの構造を示した図である。図５に示した第２の実施形態と同様に、楕円板２２１とモノポール２２２は、もともと１枚の金属導体板よりなり、切欠部２２３より折り曲げることによって製作されるようになっている。図５の楕円板と異なるのは、切欠部２２４があることである。
【００４２】
図５に示す構造では、切欠部２０３の部分のみに電流が流れないため、楕円板２０１上の電流が完全にベクトル相殺されず、楕円板上に流れる高周波電流の分布が非対称になり、結果的に、水平偏波成分の放射が生じることになる。垂直偏波のピユアリティが問題にならず、交差偏波である水平成分の放射があってもいい場合は本方法でよいが、交差偏波である水平成分を抑圧したい場合は、図６の方法が有効である。
【００４３】
図６では、楕円板２２１上の電流がベクトル的に相殺されるように、切欠部２２３と対称な位置に切欠部２２４をつくり、可能な限り楕円板２２１が線対称な構造となるようにしている。切欠部２２３は、楕円板２２１のほぼ中心の位置にまで達しているので、切欠部２２４を厳密な意味で、上記線対称となるように配置することはできない。すなわち、切欠部２２４は楕円板２２１の中心までには達せず、長手方向の長さにおいては、切欠部２２３より、やや短い。その意味では、楕円板２２１の構造は、「ほぼ線対称」であると言える。
【００４４】
図６（ａ）は、長軸方向に切欠部２２３、２２４が入っており、図６（ｂ）では短軸方向に切欠部２３３、２３４が入っている例である。
【００４５】
図５及び図６に示す切欠部２０３、２２３、２２４、２３３、２３４は、前述の通り、楕円板上の高周波電流の分布を対称に近づけるために設けられるものである。従って、各切欠部は、必ずしも長軸方向または短軸方向に沿って形成される必要はない。また、切欠部の数を制限する必要もない。
【００４６】
図７は、本発明の第４の実施形態の楕円板とモノポールの構造を示した図である。図５の楕円板と相違している点は、折曲部２４４があることである。これは、楕円板２４１を折曲部２４４で多少曲げることにより、アンテナ自身の入力インピーダンスを整合する効果を持たせるためである。折曲げる方向は、上側でも下側でも問題なく、入力インピーダンスが整合するように折り曲げればよい。図７（ａ）は、長軸方向に切欠部２４３を有し、折曲部２４４で上側にＶ字状に曲げた場合であり、図７（ｂ）は、長軸方向に切欠部２５３を有し、折曲部２５４で下側に逆Ｖ字状に曲げた場合である。短軸方向に切欠部を有して長軸方向に折り曲げることもできる。
【００４７】
また、図７では、上述したように、Ｖ字状及び逆Ｖ字状に曲げられた状態が示されているが、本発明はこれに限定されるものではない。折曲部２４４で仕切られる一方の楕円板の一部と他方の楕円板の一部が、それぞれ異なる角度で曲げられている状態を含む、その他の様々な折り曲げ方法が可能である。また更に、折曲部２４４は、少なくとも楕円板を２つに折り曲げる線を規定すれば良く、通常この線は、楕円板とモノポールとの接続点を通るか、またはその近傍を通ることが望ましい。
【００４８】
図８は、本発明の第５の実施形態の楕円板とモノポールの構造を示した図である。図８では、図５ないし図７に示したような切欠部がなく、折曲部を有するアンテナである。図８（ａ）は、長軸方向に直角（即ち短軸方向）に折曲部５３を有し、図８（ｂ）では短軸部分に直角に折曲部６３を有した例である。
【００４９】
図７及び図８に示すように、折曲部で楕円板を曲げることにより、アンテナ自身の入力インピーダンス等の調整をすることができる。アンテナ部分を含む無線ＬＡＮのハードウエアの製造メーカーにおいては、一般に、ＲＦ部分、すなわち送信アンプおよび受信アンプの個々の特性調整は、現段階の技術では省くことができず、必ず行われる作業である。
【００５０】
無線ＬＡＮカードのようなアンテナとＲＦ回路が一体化して実装されるような装置においては、個別の調整、すなわち、アンテナ及びＲＦ回路を別々に調整して組み合わせることができない（一体化実装していて、特性検査のコネクタがでていないから）ため、ＲＦ部分以外にアンテナ部分でも、最終的な整合状態を調整する個所が有れば、よりよい性能が発揮できる。すなわち、固体差があるパネルがラインに流れてくることは必然であるが、この際、アンテナ部分の微調整により、受信感度が改善されたり、特性が仕様に入らないものも、こうした調整によって救済され、結果的に直行率（歩留まり）が改善される。
【００５１】
このアンテナ部分の調整は、前述したように、図７及び図８の折曲部によって実現される。図７及び図８では、楕円板自身が、グランド板に対し、静電容量を有するために、折曲部によって楕円板を折ることにより、グランド板との静電容量が変化し、アンテナの入力インピーダンスや共振周波数の微調整が可能となる。
【００５２】
これまで、本発明のアンテナにおいては楕円板が使用されてきたが、このアンテナの頂部の形状として、様々な他の形状を選択することができる。図９には、こうした他の形状の例が示されている。すなわち、これらの形状の頂部板が、図１に示す楕円板１の代わりに使用されうる。頂部板は、基本的には、その頂部板の厚さ方向に垂直でかつ頂部板上の２つの直交する軸についてそれぞれ線対称の形状であって、その２つの軸が形状を横切る長さがそれぞれ異なるものであればよい。図９（ａ）は、頂部板３０１として長方形を用いた例である。図９（ｂ）は、頂部板３０２として長方形の角部に円弧を用いて、丸みを持たせた例である。図９（ｃ）は、頂部板３０３として菱形を用いた例である。図９（ｄ）は、頂部板３０４として６角形を用いた例である。図９（ｅ）は、頂部板３０５として１２角形を用いた例である。図９（ｂ）のように丸みを持たせる図形処理は、図９（ｃ）ないし（ｅ）に対して、また、その他の形状に対しても行うことができる。また、図形の角部分の一部に対して選択的にこのような処理を施すこともできる。
【００５３】
図１１は、本発明の第６の実施形態のアンテナの構造の一部を示した図である。モノポール４０４の途中には屈曲部４０５が設けられ、かつ、頂部板として、図９（ａ）に示す長方形が用いられている。頂部板４０１には、長軸方向に沿って、切欠部４０２、及び４０３が設けられている。基本的に、屈曲部４０５は、入力インピーダンスの整合や、共振周波数の微調整を行なうために設けられたものである。
【００５４】
この屈曲部４０５は、通常、９０度で曲げられている４つの折り曲げ部分を有するが、これらの折り曲げ部分をやや深めに折り曲げたり、浅めに折り曲げたりすることにより、アンテナの入力インピーダンスや共振周波数の微調整が可能となる。具体的には、頂部板４０１を持って、上から押しつけたり、持ち上げたりすることにより、頂部板４０１とグランド板との距離が変化し、結果的に、その間の静電容量が変化するため、上記の調整が可能となる。
【００５５】
次に、本発明のＬＡＮアンテナの電気的な動作原理について図１０を参照して説明する。本発明のＬＡＮアンテナは、上述の通り、頂部板として、円板の代わりに楕円板１が用いられている。従って、図１０（ａ）で、楕円板１上の電流ｉ１とｉ２では、電流の流れる距離が異なる。これは、共振長という観点で考えると、図１０（ｂ）及び図１０（ｃ）に示すように異なった値となる。すなわち、電流ｉ０とｉ１について考えると図１０（ｂ）のように、ｌ０とｌ１に電流が載った場合の波長となる。また、電流ｉ０とｉ２について考えると図１０（ｃ）のように、ｌ０とｌ１’に電流が載った場合の波長となる。
【００５６】
電流ｉ１とｉ２は楕円板１上の長軸方向と短軸方向の電流であるが、ｉ１とｉ２の間には、放射状の無数の電流が流れ、多様な共振長に対応できることとなり、結果的に当該構成を有するアンテナが広帯域化される。
【００５７】
なお、上記の説明で、楕円板１は、ｉ１とｉ３及び、ｉ２とｉ４はベクトル的に相殺されるため、やはり水平面内の電界は放射されず、垂直偏波のピユアリティは確保されることになる。このような楕円板１以外に有効な頂部板は、頂部板の厚さ方向に垂直でかつ頂部板上の２つの直交する軸についてそれぞれ線対称の形状であって、その２つの軸が形状を横切る長さがそれぞれ異なるものである。これは、例えば、図９（ａ）ないし図９（ｅ）のような形状の導体である。
【００５８】
次に、本発明のアンテナの周波数帯域を従来のアンテナの周波数帯域とを比較してみる。図１５について前述したとおり、従来のアンテナ２８０ＭＨｚの帯域が確保されており、約５．１％に相当する。
【００５９】
一方、図１２は、本発明のＬＡＮアンテナのリターンロスの実測結果を示す図である。構成は、図１に示す構造で、楕円の長軸の直径は約９ｍｍ、短軸の直径は約６ｍｍ、楕円板とプリント板上部の距離、すなわちモノポールのプリント板内に入り込んでいる部分を除いた長さが約５．５ｍｍで、図１５の場合と同様、マイクロストリップライン上に適当にスタブをつけて調整したときのリターンロス特性である。図１２を見ると、５２０ＭＨｚの帯域がとれており、約９．８％に相当する。このように、従来の構成のアンテナに対して、約２倍の帯域を確保することができるようになった。
【００６０】
本明細書ではここまで、本発明のアンテナについていくつかの実施形態を説明してきたが、これらの実施形態を任意に組み合わせて、本発明のアンテナを構成することができる。従って、本発明によれば、菱形の形状の頂部板、１つ或いは複数の切欠部、及び屈曲部を有し、前記頂部板が、頂部板上の所定の軸に関してＶ字状（当該軸に区切られた頂部板の２つの部分がいずれも上方向）に折り曲げられているアンテナを得ることができる。
【図面の簡単な説明】
【図１】本発明の第１の実施形態のアンテナの構造を示す斜視図である。
【図２】本発明の第１の実施形態のアンテナの構造を示す別の斜視図である。
【図３】本発明の第１の実施形態のアンテナの構造を示す断面図である。
【図４】本発明のアンテナに用いられる楕円板を示した図である。
【図５】本発明の第２の実施形態のアンテナの構造の一部を示す斜視図である。
【図６】本発明の第３の実施形態のアンテナの構造の一部を示す斜視図である。
【図７】本発明の第４の実施形態のアンテナの構造の一部を示す斜視図である。
【図８】本発明の第５の実施形態のアンテナの構造の一部を示す斜視図である。
【図９】本発明のアンテナに使用される頂部板の形状の例を示す図である。
【図１０】本発明の第１の実施形態における電流の分布を示す図である。
【図１１】本発明の第６の実施形態のアンテナの構造の一部を示す斜視図である。
【図１２】本発明の第１の実施形態のアンテナのリターンロス特性を示す図である。
【図１３】従来のアンテナの構造を示す斜視図である。
【図１４】従来のアンテナにおける電流の分布を示す図である。
【図１５】従来のアンテナのリターンロス特性を示す図である。
【符号の説明】
１、２０１、２１１、２２１、２３１、２４１、２５１、５１、６１  楕円板
２、１０２、２０２、２１２、２２２、２３２、２４２、２５２、５２、６２、４０４、９０２  モノポール
３、９０３  プリント板
４、９０４  グランド板
５、９０５  誘電体
６、９０６  マイクロストリップライン
７、９０７  パターン逃げ
８、９０８  給電部
２０３、２１３、２２３、２２４、２３３、２３４、２４３、２５３、４０２、４０３  切欠部
２４４、２５４、５３、６３  折曲部
４０１  頂部板
４０５  屈曲部
９０１  円板
【図１】
0003651594.tif 000002
【図２】
0003651594.tif 000003
【図３】
0003651594.tif 000004
【図４】
0003651594.tif 000005
【図５】
0003651594.tif 000006
【図６】
0003651594.tif 000007
【図７】
0003651594.tif 000008
【図８】
0003651594.tif 000009
【図９】
0003651594.tif 000010
【図１０】
0003651594.tif 000011
【図１１】
0003651594.tif 000012
【図１２】
0003651594.tif 000013
【図１３】
0003651594.tif 000014
【図１４】
0003651594.tif 000015
【図１５】
0003651594.tif 000016